(57)【要約】【課題】殺菌処理が施されかつプラチナ微粒子が含まれる霧化成分を、肌面に噴霧することで、美容処理効果が高くしかも清浄性を向上させた美容処理を実現する。【解決手段】本発明の美容処理装置７１は、水Ｗを貯留する貯留槽２１を備えた霧化室２７で、貯留されている水Ｗを霧化する霧化機構３２と、この霧化機構３２により得られた霧化成分Ｍを、ＵＶランプ３０を用いて生成したオゾンと気液接触させて殺菌するための霧化成分殺菌室３６と、この殺菌された霧化成分Ｍをユーザの顔などに噴霧するための噴射ノズル３と、噴射ノズル３の前段の清浄な状態の霧化成分Ｍ１の移送経路上に配置されたプラチナメッキの施されている一対の放電電極７５、７６とを備える。【選択図】図１０
2008079733.tif 000002
【特許請求の範囲】
【請求項１】
液体が貯留される液体貯留槽を有し、この液体貯留槽内に貯留された前記液体を霧化する霧化機構と、
前記霧化機構で霧化される前の液体の浄化若しくは該霧化機構で液体を霧化して生成された霧化成分の浄化により、清浄な状態の霧化成分を得る清浄機構と、
前記清浄機構により得られた前記清浄な状態の霧化成分に含ませるプラチナ微粒子を生成するプラチナ微粒子生成機構と、
前記プラチナ微粒子生成機構により生成された前記プラチナ微粒子の含まれる前記清浄な状態の霧化成分を前記筐体の外部に噴出する噴出機構と、
を具備することを特徴とする美容処理装置。
【請求項２】
前記プラチナ微粒子生成機構は、少なくとも表面部分が白金で形成された放電電極を備えることを特徴とする請求項１記載の美容処理装置。
【請求項３】
前記プラチナ微粒子生成機構が備える前記放電電極の後段側の位置に設けられ、前記噴出機構により噴出される霧化成分に美容液の成分を混入させる美容液成分混入機構をさらに具備することを特徴とする請求項２記載の美容処理装置。
【請求項４】
前記美容液成分混入機構は、
前記美容液を含浸させる美容液含浸部材と、
前記美容液含浸部材が着脱可能に装着される装着部を内側に有すると共に少なくとも内壁部分が白金で形成された筒状の含浸部材装着ユニットと、
を備えることを特徴とする請求項３記載の美容処理装置。
【請求項５】
前記霧化機構が、ヒータ及び超音波振動子のうちの少なくとも一つを備えることを特徴とする請求項１ないし４のいずれか１項に記載の美容処理装置。
【請求項６】
前記清浄機構が、前記霧化機構で霧化される前の液体若しくは該霧化機構で液体を霧化して生成された霧化成分をオゾンと接触させて殺菌する殺菌機構を備えることを特徴とする請求項１ないし５のいずれか１項に記載の美容処理装置。
【請求項７】
前記霧化機構で霧化される前の液体若しくは該霧化機構で液体を霧化して生成された霧化成分に磁力を作用させる磁化機構をさらに具備することを特徴とする請求項１ないし６のいずれか１項に記載の美容処理装置。
【請求項８】
前記清浄機構が、前記霧化機構で霧化される前の液体若しくは該霧化機構で液体を霧化して生成された霧化成分に紫外線を照射する光源をさらに備えることを特徴とする請求項１ないし７のいずれか１項に記載の美容処理装置。
【請求項９】
前記霧化機構の有する前記液体貯留槽内に液体を供給するための液体供給路をさらに備え、
前記清浄機構が、前記液体供給路に設けられたセラミックフィルタを具備することを特徴とする請求項１ないし８のいずれか１項に記載の美容処理装置。
【請求項１０】
前記清浄機構が、前記液体供給路から前記霧化機構の前記液体貯留槽を経て前記噴出機構の霧化成分の噴出口に至る経路の少なくとも一部に設けられた光触媒とこの光触媒に向けて光触媒反応を誘起させる光を照射する光源とを有する光触媒作用付与機構をさらに具備することを特徴とする請求項１ないし９のいずれか１項に記載の美容処理装置。
【請求項１１】
前記放電電極を備えるイオナイザを一つ或いは複数備えることを特徴とする請求項２ないし１０のいずれか１項に記載の美容処理装置。
【請求項１２】
前記霧化機構の前記液体貯留槽内に貯留された液体を排水する排水機構をさらに具備することを特徴とする請求項１ないし１１のいずれか１項に記載の美容処理装置。
【請求項１３】
前記噴出機構により噴出される霧化成分の噴出方向に向けて、特定の波長域の可視光を放射する可視光放射機構をさらに具備することを特徴とする請求項１ないし１２のいずれか１項に記載の美容処理装置。
【請求項１４】
前記噴出機構により噴出される霧化成分に美肌作用の得られる芳香を付与する芳香付与機構をさらに具備することを特徴とする請求項１ないし１３のいずれか１項に記載の美容処理装置。
【発明の詳細な説明】
【技術分野】
【０００１】
本発明は、液体を微粒化して得た霧化成分を肌面に供給して美容処理を行う美容処理装置に関する。
【背景技術】
【０００２】
ユーザの顔などに液体を噴霧して、肌に潤いを与えたり、また肌の細胞組織の活性を高めることで、美肌処理を行える美容目的の噴霧装置が知られている（例えば、特許文献１参照）。
【０００３】
この種の美容処理装置では、肌面に例えば冷水を噴霧した場合、毛穴を引き締めて肌のきめを細やかにする作用を得ることができ、また、例えば加温されている蒸気を肌面に噴霧した場合には、毛穴の汚れを効果的に除去する作用を得ることができる。
【特許文献１】特許第３６１５５１４号公報
【発明の開示】
【発明が解決しようとする課題】
【０００４】
ここで、このような美容処理装置では、肌面に供給される霧化成分は、毛穴を通じて肌の内部に浸透して行くことになるため、例えば殺菌処理などを施した清浄化されたものを用いることが望ましい。また、この種の装置では、美容処理効果のさらなる向上が絶えず求められている。
【０００５】
そこで本発明は、このような課題を解決するためになされたもので、肌面に対して清浄性を高めた美容処理を施すことができ、しかも美容処理効果の向上を図ることができる美容処理装置の提供を目的とする。
【課題を解決するための手段】
【０００６】
上記目的を達成するために、本発明の美容処理装置は、液体が貯留される液体貯留槽を有し、この液体貯留槽内に貯留された前記液体を霧化する霧化機構と、前記霧化機構で霧化される前の液体の浄化若しくは該霧化機構で液体を霧化して生成された霧化成分の浄化により、清浄な状態の霧化成分を得る清浄機構と、前記清浄機構により得られた前記清浄な状態の霧化成分に含ませるプラチナ微粒子を生成するプラチナ微粒子生成機構と、前記プラチナ微粒子生成機構により生成された前記プラチナ微粒子の含まれる前記清浄な状態の霧化成分を前記筐体の外部に噴出する噴出機構と、を具備することを特徴とする。
【０００７】
本発明によれば、プラチナ微粒子の含まれる清浄な状態の霧化成分を、ユーザの肌面の角質層の奥まで浸透させることが可能なので、肌面に対して清浄性を高めた美容処理を施すことができ、しかも美容処理効果の向上を図ることができる。ここで、本発明において、霧化成分とは、微粒子状（霧状）の液体（ミスト）、及び液体を気化させて得た蒸気のいずれをも含む。
【０００８】
また、本発明の美容処理装置では、前記プラチナ微粒子生成機構は、少なくとも表面部分が白金で形成された放電電極を備える。
さらに、本発明の美容処理装置は、前記一対の放電電極の後段側の位置に設けられ、前記噴出機構により噴出される霧化成分に美容液の成分を混入させる美容液成分混入機構をさらに具備することを特徴とする。
また、本発明の美容処理装置は、前記美容液成分混入機構が、前記美容液を含浸させる美容液含浸部材と、前記美容液含浸部材が着脱可能に装着される装着部を内側に有すると共に少なくとも内壁部分が白金で形成された筒状の含浸部材装着ユニットと、を備えることを特徴とする。
これらの発明によれば、プラチナ微粒子が含まれかつ微細化（微粒子化）された清浄な状態の霧化成分に美容液の成分を混入させつつこれを肌面に噴霧することが可能なので、皮膚内部への美容液成分の高い浸透効果が得られ、より優れた美肌処理を実現することができる。
【０００９】
また、本発明の美容処理装置は、前記霧化機構が、ヒータ及び超音波振動子のうちの少なくとも一つを備えることを特徴とする。
この発明によれば、ヒータを搭載する霧化機構では、液体の霧化と加温とを同時に行うことができ、また、超音波振動を搭載する霧化機構では、霧化成分を構成するクラスタ分子の微粒化を図ることができ、これにより、肌面に施される美容処理の効果を高めることができる。
【００１０】
また、本発明の美容処理装置は、前記清浄機構が、前記霧化機構で霧化される前の液体若しくは該霧化機構で液体を霧化して生成された霧化成分をオゾンと接触させて殺菌する殺菌機構を備えることを特徴とする。
この発明では、霧化成分又は霧化される前の液体に対しオゾンにより殺菌処理を施し、これにより得られた清浄な状態の霧化成分をユーザの肌面に噴霧できるので、この肌面から毛穴に浸透して行く清浄化された霧化成分で、毛穴に詰まった古い角質や皮脂などの汚れ物質を効果的に除去することができる。
【００１１】
また、本発明の美容処理装置は、前記霧化機構で霧化される前の液体若しくは該霧化機構で液体を霧化して生成された霧化成分に磁力を作用させる磁化機構をさらに具備することを特徴とする。
この発明では、霧化成分又は霧化される前の液体に対し磁気処理を施し、これにより得られたクラスタの細分化された霧化成分で、肌面に美容処理を施すことができる。
【００１２】
ここで、水のクラスタサイズはクラスタ内の水分子の数によって決まる。通常、水道水のクラスタ内水分子の数は１５〜４０個ほどといわれている。また、水の汚染度合いが高いと汚染物質が水分子と結びつくため、約２００〜３００個、場合によっては５００個以上の水分子がクラスタ内に存在することになる。
一方、いわゆる良い水とされる水のクラスタ内の水分子の数は一般に６個以下とされている。クラスタ内水分子の数を減らすには様々な方法がある。例えば、紫外線処理を施した場合には、水分子の数は約１１個に減少する。また、水をスチーム状態にすると水分子の数は約９個以下に減少し、この他、電気分解水では水分子の数を６個以下にすることが可能となる。
この発明の美容処理装置によれば、霧化機構と磁化機構の相乗効果により、霧化成分中のクラスタ内水分子の数を６個以下にすることができる。
【００１３】
さらに、本発明の美容処理装置は、前記清浄機構が、前記霧化機構で霧化される前の液体若しくは該霧化機構で液体を霧化して生成された霧化成分に紫外線を照射する光源をさらに備えることを特徴とする。
この発明によれば、紫外線による殺菌効果で、肌面に噴霧される霧化成分の清浄化を図ることができる。
【００１４】
また、本発明の美容処理装置は、前記霧化機構の有する前記液体貯留槽内に液体を供給するための液体供給路をさらに備え、前記清浄機構が、前記液体供給路に設けられたセラミックフィルタを具備することを特徴とする。
この発明では、霧化機構の有する液体貯留槽内に流れ込む液体を浄化することができる。
【００１５】
さらに、本発明の美容処理装置は、前記清浄機構が、前記液体供給路から前記霧化機構の前記液体貯留槽を経て前記噴出機構の霧化成分の噴出口に至る経路の少なくとも一部に設けられた光触媒とこの光触媒に向けて光触媒反応を誘起させる光を照射する光源とを有する光触媒作用付与機構をさらに具備することを特徴とする。
この発明によれば、霧化される前の液体中又は霧化されて得られた霧化成分中の汚れ成分を光触媒の作用により分解できるので、より清浄化された霧化成分を肌面に噴霧することができる。
【００１６】
さらに、本発明の美容処理装置は、前記放電電極を持つイオナイザを一つ或いは複数備えることを特徴とする。
この発明では、プラチナ微粒子の含まれる霧化成分を肌の奥深くに浸透させることができるので、細胞組織の活性化作用が得られ、これにより効果的な美容処理を施すことができる。
【００１７】
また、本発明の美容処理装置は、前記霧化機構の前記液体貯留槽内に貯留された液体を排水する排水機構をさらに具備することを特徴とする。
この発明によれば、霧化対象となる貯留状態の液体を新しい液体と置換することなどが可能なので、霧化対象となる液体の清浄化を図ることができる。
【００１８】
また、本発明の美容処理装置は、前記噴出機構により噴出される霧化成分の噴出方向に向けて、特定の波長域の可視光を放射する可視光放射機構をさらに具備することを特徴とする。
この発明では、清浄な状態の霧化成分が肌の奥深くに浸透にして行く効果と、特定の波長域の可視光が肌面に照射されることによるクロモセラピー効果との相乗効果によって、優れた美容処理効果を得ることができる。
【００１９】
さらに、本発明の美容処理装置は、前記噴出機構により噴出される霧化成分に美肌作用の得られる芳香を付与する芳香付与機構をさらに具備することを特徴とする。
この発明によれば、清浄化された霧化成分で肌面をトリートメントできる効果と、アロマテラピーによる効果とを相乗的に作用させて、美肌処理効果を高めることができる。
【発明の効果】
【００２０】
このように本発明によれば、肌面に対して清浄性を高めた美容処理を施すことができ、しかも美容処理効果の向上を図ることが可能な美容処理装置を提供することができる。
【発明を実施するための最良の形態】
【００２１】
以下、本発明を実施するための最良の形態を図面に基づき説明する。
［第１の実施の形態］
図１は、本発明の第１の実施形態に係る美容処理装置を示す斜視図、図２は、この美容処理装置の構成を機能的に示すブロック図、図３は、この美容処理装置の主要部の構成を模式的に示す図、図４は、この美容処理装置の噴射ノズルに装着される芳香部材の構造を示す断面図である。
【００２２】
図１〜図３に示すように、この実施形態に係る美容処理装置１は、ユーザの顔などの肌面に液体を微粒子化して噴霧する、蒸気式のスチーマである。美容処理装置１の筐体２の前面には、霧化された霧化成分Ｍが噴射される噴射ノズル３が設けられている。さらに、筐体２の前面には、電源をＯＮ／ＯＦＦする電源スイッチ５、美容処理装置１の動作モードなどを設定する設定スイッチ７、及び設定スイッチ７による設定内容を表示する設定表示用ＬＥＤ６が設けられている。筐体２の背面には、商用電源などの電力を装置内の電子部品に供給するための電源コード８が接続されている。
【００２３】
また、美容処理装置１の筐体２の内部には、図２及び図３に示すように、液体として例えば水Ｗを貯留する貯留槽２１を備えた霧化室２７を有し、貯留されている水Ｗを霧化して霧化成分とする霧化機構３２と、霧化機構３２により霧化された霧化成分Ｍを殺菌する霧化成分殺菌機構３５とが設けられている。また、美容処理装置１には、外部から水を給水するための給水口２３が設けられており、給水口２３から給水された水Ｗは、霧化室２７を構成する貯留槽２１に流れ込む。また、貯留槽２１内に容易に水Ｗを継ぎ足せるように、貯留槽２１が、筐体２に対して着脱自在に構成されていてもよい。ここで、霧化すべき液体は、水Ｗの他、美容処理のための専用の薬液などでもよい。
【００２４】
霧化機構３２は、給水口２３から給水された水Ｗを移送する配管として構成された液体移送流路３３と、液体移送流路３３を通じて移送される水Ｗが流れ込む上記貯留槽２１を備えた霧化室２７と、当該霧化機構３２により霧化される前の水Ｗに紫外線を照射する光源としてのＵＶランプ２６と、霧化室２７の底部に設けられた電気ヒータ２９と、電気ヒータ２９による加熱によって霧化室２７内の水Ｗが霧化されて得られた霧化成分Ｍを霧化成分殺菌機構３５側へ送り出すための送気ファン２８とを備える。ここで、霧化成分殺菌室３６の外壁部分にさらに冷却装置を追加してもよい。この冷却装置によって、冷却された霧化成分Ｍを肌面に噴霧した場合には、毛穴を引き締めて肌のきめを細やかにする作用を得ることができる。また、このように冷却装置を追加する場合には、加温状態の霧化成分と冷却状態の霧化成分との生成を例えば設定スイッチ７で、切替可能にする構成などが例示される。また、この送気ファン２８と上記噴射ノズル３とは、霧化成分殺菌機構３５により殺菌された霧化成分Ｍを筐体２の外部に噴出させる噴出機構として機能する。
【００２５】
また、本実施形態の美容処理装置１には、図１、図２、図４に示すように、噴射ノズル３より噴出されるべき霧化成分Ｍに対し美肌作用の得られる芳香（アロマ）を付与する芳香付与機構としての芳香部材９が設けられている。リング状に形成されているこの芳香部材９は、噴射ノズル３に対して例えば着脱自在に構成されており、噴射ノズル３の霧化成分噴射流路３ａと連通する霧化成分噴射流路９ａを中央部分に備える。また、リング状の芳香部材９の本体部分には、美肌作用の得られる例えば植物のエッセンシャルオイルなどが含有されている。したがって、霧化成分Ｍが噴射ノズル３から噴射される際に美肌作用の得られる芳香が霧化成分Ｍに付与され、これにより、清浄化された霧化成分Ｍで肌面をトリートメントできる効果と、アロマテラピーによる効果とを相乗的に作用させて、美肌処理効果を高めることができる。
【００２６】
上記したＵＶランプ２６は、霧化室２７の下方の貯留槽２１内に配置されており、液体移送流路３３を通じて霧化室２７内の貯留槽２１に流れ込んできて、一時的に貯留される水Ｗに紫外線を照射する。これにより、霧化される前の水Ｗを予め紫外線により殺菌できるので、肌面に噴霧される霧化成分のさらなる清浄化を図ることができる。また、霧化室２７内の貯留槽２１と給水口２３とは、上記した液体移送流路３３を通じて接続されている。
【００２７】
また、液体移送流路３３を通じて霧化室２７の貯留槽２１内に流れ込んだ水Ｗの水位が、所定の水位Ｈ１を超えた場合に、水位Ｈ１を超えた（あふれる）水Ｗを、排水取込口が上部に開口したドレイン管１４を介して排水タンク１５側に排水する排水機構１２が設けられている。ここで、上記構成に代えて、ドレイン管の排水取込口を水位Ｈ１の位置に相当する霧化室２７内の貯留槽２１の側方（横方向）に接続するようにしてもよい。
【００２８】
また、給水口２３と霧化室２７内の貯留槽２１との間には、図２に示すように、貯留槽２１側へ移送される水Ｗを浄化できるように、ＴｉＣなどを構成材料として形成されたセラミックフィルタ２２が介在されている。さらに、このセラミックフィルタ２２及び霧化室２７内の貯留槽２１間の液体移送流路３３の外周部分と、後述する霧化成分殺菌室３６及び噴射ノズル３間の霧化成分移送流路３８の外周部分とには、永久磁石３４及び永久磁石４１をそれぞれ配置することで構成された磁化機構２４、４０が設けられている。永久磁石３４によって、霧化室２７側に移送される水Ｗを磁気処理して磁化水とすることができるので、クラスタの細分化された水Ｗを霧化した霧化成分Ｍで、肌面に美容処理を施すことができる。なお、上記永久磁石３４は、電磁石などによって構成されてもよい。
【００２９】
霧化成分殺菌機構３５は、図２及び図３に示すように、貯留槽２１を基準として霧化室２７の下流側に配置された上記霧化成分殺菌室３６と、この霧化成分殺菌室３６内に配置されたオゾン管としてのＵＶランプ３０とを備える。詳細には、霧化成分殺菌室３６は、霧化室２７と噴射ノズル３とを接続する配管として構成された上記霧化成分移送流路３８の経路上に配置されており、ＵＶランプ３０により生成されるオゾンと霧化室２７側から移送されてくる霧化成分Ｍとを気液接触させて、霧化成分Ｍを殺菌処理する。
【００３０】
なお、ＵＶランプ３０によって生成されるオゾンの濃度は、０．１ｐｐｍ未満であるが、殺菌効果を考慮した場合、例えば０．００４ｐｐｍ〜０．０６ｐｐｍ程度であることが望ましい。ここで、本実施形態では、主に、霧化成分殺菌室３６内のＵＶランプ３０、霧化室２７内のＵＶランプ２６、及びセラミックフィルタ２２は、霧化機構３２により霧化される前の水Ｗ又は霧化機構３２により生成された霧化成分Ｍを浄化して清浄な状態の霧化成分を得る清浄機構として機能する。
【００３１】
ここで、上記した磁化機構２４において、霧化成分殺菌室３６と噴射ノズル３との間の霧化成分移送流路３８の外周部分に配置された例えば４，０００Ｇ（ガウス）以上の磁力を発生させ、霧化成分Ｍに磁気処理を施す永久磁石４１について考察してみる。
一般に、水に磁気処理を施して磁化水を精製するためには、数１０テスラ（１００，０００Ｇ）の磁力が必要であるといわれている。
ここで、仮に磁化水の精製に、５０テスラ（５００，０００Ｇ）が必要であるとした場合でも、蒸気中の水の密度は２０００分の１であるから、２５０Ｇの磁力があれば、蒸気の磁化を行えることになる。
したがって、永久磁石４１の発生させる４，０００Ｇ以上の磁力は、霧化成分移送流路３８中の霧化成分Ｍの磁化に際して、その要求を十分に満たしているといえる。
【００３２】
このような永久磁石４１や上記した永久磁石３４によって構成される磁化機構２４、４０によれば、水Ｗや霧化成分Ｍに磁気処理を施すことで、水分子どうしが結合して構成されるクラスタのサイズが小さくなって水分子の活性化が図られるとともに、雑菌類などを死滅させ水Ｗや霧化成分Ｍの清浄化を図ることができる。
なお、このような永久磁石４１は、霧化室２７の上方部、霧化成分殺菌室３６、噴射ノズル３、又は霧化成分移送流路３８における霧化室２７と霧化成分殺菌室３６との間などに配置されていてもよい。また、上記４０００Ｇ以上の磁力を発生させるものであれば、永久磁石４１は、電磁石であってもよい。
【００３３】
既述したように、本実施形態の美容処理装置１では、セラミックフィルタ２２、磁化機構２４、ＵＶランプ２６により浄化された水Ｗを霧化し、これにより得られた霧化成分Ｍを、ＵＶランプ３０を通じてオゾンで殺菌処理して、さらに磁化機構４０を通じて磁気処理を施した後、ユーザの顔などの肌面に噴霧できるので、この肌面から毛穴に浸透して行く清浄化された霧化成分Ｍで、毛穴に詰まった古い角質や皮脂などの汚れ物質を効果的に除去することができる。
【００３４】
［第２の実施の形態］
次に、本発明の第２の実施形態を図５〜図８に基づき説明する。なお、図５〜図８において、図１〜図４に基づき説明を行った第１の実施形態の美容処理装置１で適用されていたものと同様の機能を有する構成要素については、同一の符号を付与しその説明を省略する。
【００３５】
すなわち、この実施形態に係る美容処理装置５１は、図５〜図８に示すように、ユーザの顔などの肌面に水Ｗを微粒子化して噴霧する、蒸気式と超音波式とを併用したかたちのスチーマであって、第１の実施の形態で説明した美容処理装置１の構成に、さらに、赤色ＬＥＤ（発光ダイオード）５２、青色ＬＥＤ５３及び黄色ＬＥＤ５４、超音波振動子２５、光触媒作用付与機構５５、イオナイザ５６、並びに美容液成分混入機構として機能する美容液含浸部材６５を加えて構成されている。
【００３６】
光触媒作用付与機構５５は、図６及び図７に示すように、セラミックフィルタ２２と磁化機構２４との間の液体移送流路３３上に設けられており、霧化室２７に向かって液体移送流路３３を流れる水Ｗを浄化する。すなわち、液体浄化機構５５は、二酸化チタンを主成分とする光触媒とこの光触媒に向けて光を照射するＬＥＤなどの光源６１とを有する。光触媒としては、可視光応答型の光触媒を用いてもよいし、紫外線応答型の光触媒を用いてもよく、光源は、適用された光触媒の反応タイプに対応させるようにして適宜選択される。また、図６〜図８に示すように、このような光触媒作用付与機構５５に加え、光源６２を有する光触媒作用付与機構５９が、噴射ノズル３内にも設けられている。光触媒作用付与機構５９では、霧化されて得られた霧化成分Ｍ中の汚れ成分を光触媒の作用により分解できる。
【００３７】
また、このような光触媒を、配管として構成された液体移送流路の内壁面にコーティングすることなどで適用してもよいし、液体移送流路内にフィルタを配置しこのフィルタに光触媒をコーティングして、光触媒作用付与機構５５を構成してもよい。このようにして構成される光触媒作用付与機構５５によれば、水Ｗなど液体中の汚れ成分を光触媒の作用により分解できるので、清浄化された霧化成分を肌面に噴霧することができる。さらに、このような光触媒を貯留槽２１、霧化室２７、霧化成分移送流路３８などの内壁部分にコーティングするとともに、これらの内壁部分にコーティングされた光触媒に向けて光を照射する光源をさらに追加してもよい。ここで、上記光触媒作用付与機構のＬＥＤランプの発光する光は、例えば波長域が３８０ｎｍ未満の紫外光であって、光度が例えば２２０ｍｃｄ程度である。なお、可視光反応型の光触媒を選択することで、上記した紫外光を発光するＬＥＤランプに代えて、例えば４４０〜４４９ｎｍ程度の波長域の青色光や、また、３７０〜３８０ｎｍ程度の紫色光などをそれぞれ発光するＬＥＤランプを適用するようにしてもよい。
【００３８】
超音波振動子２５を備える霧化機構５８は、超音波振動子２５の発生させる超音波振動を利用して水Ｗを霧化する作用と、電気ヒータ２９により水Ｗを加温しつつ蒸気化する作用とを同時に得ることができる。すなわち、この霧化機構５８によれば、水Ｗの霧化と霧化成分Ｍの加温とを同時に行うことができるとともに、超音波振動により霧化成分を構成するクラスタ分子の微粒化を図ることができ、これにより、肌面に施される美容処理の効果を高めることができる。
【００３９】
また、イオナイザ５６は、図６に示すように、霧化成分殺菌室３６と噴射ノズル３との間の霧化成分移送流路３８（図７参照）の経路上に一つ又は複数個配置されており、霧化成分殺菌室３６側から移送されてくる霧化成分Ｍにマイナスイオンを付与する。ここで、本実施形態の美容処理装置５１では、一組の放電針を備えるイオナイザ５６が、例えば複数個配置されており、これにより、イオナイザ５６を持たない装置と比較して、霧化成分Ｍの粒子径を１／８０００以下のサイズにすることができる。したがって、このように粒子径が小さく、しかもマイナスイオンの付与された霧化成分Ｍが肌の奥深くに浸透することにより、細胞組織の活性化作用が得られ、これにより、効果的な美容処理を施すことができる。
【００４０】
さらに、図５に示すように、赤色ＬＥＤ５２、青色ＬＥＤ５３及び黄色ＬＥＤ５４は、
噴射ノズル３からの霧化成分Ｍの噴出方向に向けて、特定の波長域の可視光を放射する可視光放射機構として機能する。すなわち、赤色ＬＥＤ５２の発光する光は、例えばピーク波長が６４１ｎｍで、光度が例えば１８０ｍｃｄである。この赤色光は、皮膚浸透度が高く、皮膚深部のメラニンに反応し、皮膚の奥深くのシミの除去に効果的である。また、赤色の色彩作用も相まって、赤みがかっている肌の改善に適しており、血行の促進効果などを得ることができる。また、いわゆるスリミングケアにも適している。
【００４１】
さらに、黄色ＬＥＤ５４の発光する光は、例えばピーク波長が５９２ｎｍで、光度が例えば２２０ｍｃｄである。この黄色光は、赤色ＬＥＤ５２の光に比べると、皮膚浸透度が高いため、皮膚表面のシミの除去に効果的である。また、色彩の作用として、老化肌やトラブル肌の改善にも適している。また、青色ＬＥＤ５３の発光する光は、例えばピーク波長が４６５ｎｍで、光度が例えば７０〜２００ｍｃｄである。この青色光は、ヘモグロビンによく吸収されるので、赤ら顔や赤アザに効果的である。色彩の作用としては、リンパドレナージュ作用や血液循環作用を増大させる。さらに、ストレスや緊張を緩和する効果なども得ることができる。
【００４２】
したがって、赤色ＬＥＤ５２、青色ＬＥＤ５３及び黄色ＬＥＤ５４を有する美容処理装置５１では、オゾンにより殺菌の行われた清浄化されている霧化成分Ｍが肌の奥深くに浸透にして行く効果と、特定の波長域の可視光が肌面に照射されることによるクロモセラピー効果（色彩が皮膚に及ぼす作用）などとの相乗効果によって、優れた美容処理効果を得ることができる。
【００４３】
また、この実施形態の美容処理装置５１には、図７に示すように、貯留槽２１とドレイン管１４とをつなぐ排水取込口を開閉する排水シャッタ６３が設けられている。排水シャッタ６３の動作は、図５に示すように、美容処理装置５１の前面に設けられた排水選択ボタン６４をボタン操作することで、排水取込口の開閉が制御される。これにより、霧化対象となる貯留状態の液体を新しい液体と置換することなどができるので、霧化対象となる液体の清浄化を図ることができる。また、例えば、温度センサなどを貯留槽２１内に設置し、貯留槽２１内に貯留された水Ｗの温度を検出できるようにしてもよい。つまり、例えば、検出された貯留槽２１内の水Ｗの温度が高温の場合などに、ドレイン管１４からの排水ができないように制御を行うことで、貯留槽２１内での、いわゆる空だきを防止することなどが可能となる。
【００４４】
さらに、本実施形態の美容処理装置５１には、図８に示すように、噴射ノズル３より噴出されるべき霧化成分Ｍに対し、美容液の成分を混入させるための美容液含浸部材６５が用意されている。この美容液含浸部材６５は、上記した芳香部材９と同様に、噴射ノズル３内に対して例えば着脱自在に構成されており、噴射ノズル３の霧化成分噴射流路３ａと連通する霧化成分噴射流路６５ａを中央部分に備える。また、綿状の材料などを用いて例えばリング状に形成された美容液含浸部材６５の本体部分には、美肌作用の得られる化粧液やその他の栄養分などからなる美容液が含有（含浸）されている。なお、美容液含浸部材６５は、芳香部材９とともに、噴射ノズル３内に装着可能に構成されていてもよい。また、このような美容液含浸部材６５に代えて、噴射ノズル３の霧化成分噴射流路３ａの途中に皿状の部材を設置可能とし、さらに、筐体２の外側からこの皿状の部材に美容液を供給できるように美容処理装置５１を構成することで、霧化成分Ｍに対し美容液の成分を混入させるようにしてもよい。
【００４５】
ここで、美容液含浸部材６５内に含浸させる（染み込ませる）美容液としては、保湿効果をもつスクワラン・ホホバオイルなどの油系のものや、その他、美白・抗酸化作用のあるプロビタミンＣやプロビタミンＥなどが例示される。これらの美容液は、霧化成分Ｍ（１００℃相当のスチーム）と接触しても美容液としての物性の変わらない耐性を有する。
したがって、このような美容液含浸部材６５を噴射ノズル３に装着することで、その前段で清浄化された霧化成分Ｍに対し、美容液の成分を混入させつつこれを肌面に噴霧することが可能となり、より優れた美肌処理を実現することができる。
【００４６】
［第３の実施の形態］
次に、本発明の第３の実施形態を図９〜図１４に基づき説明する。ここで、図９は、本発明の第３の実施形態に係る美容処理装置７１を示す外観図であり、図１０は、美容処理装置７１の内部構造を示す断面図である。また、図１１は、この美容処理装置７１の構成を機能的に示すブロック図であり、図１２は、この美容処理装置７１の内側ノズル部７８の構造を示す断面図である。さらに、図１３は、図１２の内側ノズル部７８に設けられた一対の放電電極７５、７６の形状を詳細に示す図であり、図１４は、図１２の内側ノズル部と構造の異なる他の内側ノズル部９１を示す断面図である。また、図１５は、図１３の内側ノズル部７８に設けられた放電電極７５、７６と形状の異なる他の放電電極８３、８４を示す図であり、図１６は、図１３及び図１５の放電電極と形状の異なる他の放電電極８５、８６を示す図である。なお、図９〜図１６において、図１〜図８に基づき説明を行った第１、第２の実施形態の美容処理装置１、５１で適用されていたものと同様の機能を有する構成要素については、同一の符号を付与しその説明を省略する。
【００４７】
すなわち、この実施形態に係る美容処理装置７１は、第２の実施の形態で説明した美容処理装置５１に一部改良を加えて構成されたものであり、図９〜図１２に示すように、部分的に屈曲した形状を有する内側ノズル部７８を噴射ノズル３の内部側に備える。内側ノズル部７８は、一対の放電電極７５、７６、含浸部材装着ユニットとして機能するキャップ部７７、筒体部８８などを有する。
【００４８】
キャップ部７７は、ほぼ筒状に形成されており、屈曲した筒体部８８の先端側（霧化成分が放出される側）に連結される。また、キャップ部７７は、芳香部材９や美容液含浸部材６５が着脱可能に装着される装着部７７ａを有する。つまり、放電電極７５、７６の後段側の位置に設けられたキャップ部７７と美容液含浸部材６５とは、美容液成分混入機構として機能する。また、上記のキャップ部７７の内壁面７７ｂには、プラチナメッキが施されている。なお、キャップ部７７全体の構成材料をプラチナ製としてもよい。また、このようなキャップ部７７（の内壁面７７ｂ）及び筒体部８８（の内壁面）は、清浄な状態の霧化成分が霧化成分殺菌室３６側から噴射ノズル３側に移送されかつ筐体２の外部に噴出されるまでの移送経路８９を形成する。
【００４９】
また、上記の放電電極７５、７６は、図１０〜図１２に示すように、プラチナ微粒子生成機構として機能するイオナイザ５６の放電針として設けられており、これらの電極間には、例えば１０ｋＶ〜１７ｋＶの電圧が印加される。また、放電電極７５、７６は、図１２及び図１３に示すように、それぞれ先端部がＬ字状に屈曲した形状で構成されており、筒体部８８の内壁面８８ｂから各々突出して対向配置されている。さらに、放電電極７５、７６は、少なくともその表面部分の一部が白金（プラチナ）で形成されている。本実施形態では、各放電電極７５、７６の先端部分の外表面にプラチナメッキが施されている。なお、これらの放電電極７５、７６は、基端側を含む表面部分の全体にプラチナメッキが施されていてもよいし、また、内部を含む放電電極全体をプラチナ材料により構成してもよい。
【００５０】
したがって、図１２に示すように、霧化成分殺菌室３６側から移送されてくる清浄な状態の霧化成分Ｍ１は、一対の放電電極７５、７６間を通過する過程で微細化（微粒子化）されると共に、放電電極７５、７６間に生じる放電によりプラチナ微粒子が一次発生する。次いで、微細化された清浄な霧化成分Ｍ１及びプラチナ微粒子は、キャップ部７７（の内壁面７７ｂ）を通過する過程で一体化された霧化成分Ｍ２として生成される。また、このキャップ部７７を通過する過程においてプラチナ微粒子ミスト（霧化成分Ｍ２）は、その減少が抑制される。さらに、霧化成分Ｍ２は、例えばプロビタミンＣなどが含浸された美容液含浸部材６５の霧化成分噴射流路６５ａを通過する過程で、美容液成分及びプラチナ微粒子の含まれる霧化成分Ｍ３として構成され、噴射ノズル３を通じて外部（ユーザの肌面側）に噴出される。
【００５１】
このように本実施形態の美容処理装置７１は、表面部分が白金で形成された一対の放電電極７５、７６間及びキャップ部７７の内部、並びに美容液含浸部材６５の流路内を、清浄な状態の霧化成分が通過するように構成されているので、美容液成分及びプラチナ微粒子の含まれる微細化された清浄な状態の霧化成分Ｍ３を、肌面の角質層の奥まで浸透させることが可能となる。ここで、美容液含浸部材６５に例えばプロビタミンＣなどを含浸させておくことで、表皮の基底細胞まで美容液成分としてのプロビタミンＣを到達させることが可能であり、これにより、メラノサイトに働きかけて高い美白効果を得ることができる。
【００５２】
なお、本実施形態の美容処理装置７１では、筒体部８８が屈曲した内側ノズル部７８を例示していたが、これに代えて、図１４に示すように、直線状に延びる筒体部９２を備えて構成される内側ノズル部９１を本発明に適用することもできる。また、本実施形態の美容処理装置７１では、上述したＬ字状の放電電極７５、７６に代えて、図１５に示すように、直線的な外形を有する放電電極８３、８４を適用してもよいし、また、図１６に示すように、外形を直線的に形成すると共に、先端部の形状を先鋭にすることなく直径が均一の円柱部８５ａ、８６ａを先端に備える放電電極８５、８６を適用してもよい。放電電極８３、８４及び放電電極８５、８６は、それぞれの少なくとも先端部分の外表面が白金で形成される。ここで、前記の円柱部８５ａ、８６ａを備える放電電極８５、８６を適用した場合には、放電電極（放電針）自体の耐久性を高めることができる。
【００５３】
以上、本発明を第１〜第３の実施の形態により具体的に説明したが、本発明はこれらの実施形態にのみ限定されるものではなく、その要旨を逸脱しない範囲で種々変更可能である。例えば、霧化室２７の上流側に、水の電気分解を行える貯留槽や、この貯留槽内にイオン交換膜などを設けることで、体液や血液と親和性の高い弱アルカリ性の水を噴霧できるように美容処理装置を構成してもよい。このような弱アルカリ性の水を肌面に噴霧することで、美肌効果のさらなる向上を図ることができる。
【図面の簡単な説明】
【００５４】
【図１】本発明の第１の実施形態に係る美容処理装置を示す斜視図。
【図２】図１の美容処理装置の構成を機能的に示すブロック図。
【図３】図１の美容処理装置の主要部の構成を模式的に示す図。
【図４】図１の美容処理装置の噴射ノズルに装着される芳香部材の構造を示す断面図。
【図５】本発明の第２の実施形態に係る美容処理装置を示す斜視図。
【図６】図４の美容処理装置の構成を機能的に示すブロック図。
【図７】図４の美容処理装置の主要部の構成を模式的に示す図。
【図８】図４の美容処理装置の噴射ノズルの構造を示す断面図。
【図９】本発明の第３の実施形態に係る美容処理装置を示す外観図。
【図１０】図９の美容処理装置の内部構造を示す断面図。
【図１１】図９の美容処理装置の構成を機能的に示すブロック図。
【図１２】図９の美容処理装置の内側ノズル部の構造を示す断面図。
【図１３】図１２の内側ノズル部に設けられた放電電極の形状を詳細に示す図。
【図１４】図１２の内側ノズル部と構造の異なる他の内側ノズル部を示す断面図。
【図１５】図１３の放電電極と形状の異なる他の放電電極を示す図。
【図１６】図１３及び図１５の放電電極と形状の異なる他の放電電極を示す図。
【符号の説明】
【００５５】
１，５１，７１…美容処理装置、２…筐体、３…噴射ノズル、３ａ，９ａ…霧化成分噴射流路、９…芳香部材、１２…排水機構、１４…ドレイン管、１５…排水タンク、２１…貯留槽、２２…セラミックフィルタ、２４，４０…磁化機構、２５…超音波振動子、２６，３０…ＵＶランプ、２７…霧化室、２８…送気ファン、３２，５８…霧化機構、３３…液体移送流路、３４，４１…永久磁石、３５…霧化成分殺菌機構、３６…霧化成分殺菌室、３８…霧化成分移送流路、５２…赤色ＬＥＤ、５３…青色ＬＥＤ、５４…黄色ＬＥＤ、５５…光触媒作用付与機構、５６…イオナイザ、６５…美容液含浸部材、７５，７６，８３，８４，８５，８６…放電電極、７７…キャップ部、７８，９１…内側ノズル部、Ｗ…水、Ｍ，Ｍ１，Ｍ２，Ｍ３…霧化成分。
【図１】
2008079733.tif 000003
【図２】
2008079733.tif 000004
【図３】
2008079733.tif 000005
【図４】
2008079733.tif 000006
【図５】
2008079733.tif 000007
【図６】
2008079733.tif 000008
【図７】
2008079733.tif 000009
【図８】
2008079733.tif 000010
【図９】
2008079733.tif 000011
【図１０】
2008079733.tif 000012
【図１１】
2008079733.tif 000013
【図１２】
2008079733.tif 000014
【図１３】
2008079733.tif 000015
【図１４】
2008079733.tif 000016
【図１５】
2008079733.tif 000017
【図１６】
2008079733.tif 000018